(57)【要約】  【課題】  従来の光ディスク装置について、その部品の削減を図ること。  【解決手段】  ディスクトレイのローディング機構のギア群の内の第６ギア１７（ギアドライブ）の支軸１７ａのカットワッシャ１７ｃを廃止し、その第６ギア１７の上面に、その第６ギア１７に被さる第４ギア１１の底面との隙間を埋める高さで、平面視、その底面に含まれる領域に外周が存在する半径の突条の帯輪３０を一体化して形成するとともに、その帯輪３０の上面に対し、水平方向に出没可能となったスナップフィット形状４１を弾性部材により、ローダーシャーシ４０に一体化して設ける。前記突条の帯輪３０とスナップフィット形状４１により、第６ギア１７の、それが取り付けられている支軸１７ａからの離脱を防ぐことができ、カットワッシャ１７ｃの部品代が削減されるとともに、組み立ての際、それを取り扱う作業がなくなり、さらなるコストダウンに繋がる。【選択図】      図１
2006351071.tif 000002
【特許請求の範囲】
【請求項１】
光ディスク装置に搭載されるディスクトレイのローディング機構であって、
ローダーシャーシ上のトラバースシャーシに搭載された駆動モータと、
その出力軸に取り付けられた第１ギアと、
その第１ギアに噛み合った第２ギアと、
その第２ギアと同軸に、その下方に取り付けられた第３ギアと、
その第３ギアに噛みあって、ディスクトレイのローディング方向に向けて配設されたラ
ックと、
第３ギアに噛み合った第４ギアと、
その第４ギアと同軸に、その下方に取り付けられた第５ギアと、
その第５ギアに噛み合った第６ギアと、
その第６ギアと平面視噛み合うようになった円柱状の第７ギアとを有し、
その第７ギアには、その円柱の高さ方向の、第６ギアの板面と交差する位置において、
円柱の周方向に沿って、第６ギアの厚みを隙間をもって包含する幅と、第６ギアの歯先円
とは干渉しない深さとを有した部分溝が設けられており、
その第７ギアの歯元円にディスクトレイのローディング方向に平行に接する線上に歯先
線を重ねて配設され、ディスクトレイが取り付けられたトレイラックを有し、
第６ギアが、その支軸に嵌められたカットワッシャによって抜け止め処置されたものに
おいて、
そのカットワッシャを廃止するとともに、第６ギアの上面に第４ギアの底面との隙間を
埋める高さで、平面視、その底面と被さる領域に外周が存在するようになった半径の突条
の帯輪を一体化して形成するとともに、上記帯輪の上面に対し、水平方向に出没可能とな
った上記第６ギアの押さえ機構を前記ローダーシャーシに一体化して設けたことを特徴と
するディスクトレイのローディング機構。
【請求項２】
請求項１に記載のディスクトレイのローディング機構を備えた光ディスク装置。
【発明の詳細な説明】
【技術分野】
【０００１】
この発明は、光ディスク装置に搭載されるディスクトレイのローディング機構に係り、
詳しくは、その構造の改良に関する。
【背景技術】
【０００２】
オーディオ・ヴィジュアル業界では、従来の電磁記録媒体を扱ったテープレコーダやビ
デオテープレコーダに代わって、光学記録媒体のディスクを扱ったＣＤやＤＶＤの機器が
台頭してきている。これら光学記録媒体のディスクは電磁記録媒体のものに比べて、記録
密度が高く、大量のデータを扱うことができるとともに、媒体自体の保存性が格段に高く
、半永久的なものだからである。
【０００３】
そのＣＤやＤＶＤの機器の需要が増えるにつれて、それらを生産する関連会社は独自の
新しい機能を備えた製品の開発にしのぎを削っているが、それとともに、各メーカー間で
同じような構成で同じような機能を有するものについては、それらの価格を下げることで
差別化を図ることにも力を注いでいる。
【０００４】
例えば、一点の部品でも、それが削減されれば、その部品代が削減されるとともに、そ
の削減対象となる部品が装置の組み立てに関わるような部品、例えば、ねじ、バネ、止め
具等であると、部品代の削減にとどまらず、組み立ての際、その部品を取り扱う作業がな
くなるので、作業の簡略化を図ることもでき、このことはさらなるコストダウンに繋がる
ことになる。
【０００５】
本発明者は、ＣＤやＤＶＤ等をドライブする光ディスク装置の構成について、自身が携
わったものの中に、上記のようなコストダウンに繋がる部品の削減ができないものかと考
えたのである。
【０００６】
そこで、部品点数の削減が可能な対象として選んだのが、以下に示す光ディスク装置の
ディスクトレイのローディング機構である。以下、しばし、本発明者が選んだその光ディ
スク装置のディスクトレイのローディング機構の部品削減前の構成について述べる。
【０００７】
図２は、本発明者が携わった光ディスク装置におけるディスクトレイのローディング機
構の一部を平面図で示したものである。図３は右側面図、図４は正面図、図５は底面図で
ある。
【０００８】
図２はディスクトレイの駆動機構の構成要素を中心に描いたものであり、図の煩雑さを
避けるため、その構成要素が搭載されるトラバースシャーシおよびディスクトレイは描い
ていない。図中、１は、図示しないディスクトレイが取り付けられる枠体の一部であり、
図の下側にカム溝１ａを成す対の突設枠を有している。また、２はディスクトレイが取り
付けられるトレイラックである。
【０００９】
前記枠体１の下方には、図２〜図４に示すように、図示しないトラバースシャーシが取
り付けられるトラバースホルダ３と、その手前、装置正面寄りにカムスライダ４が位置し
ている。トラバースホルダ３の図２における右端上部（図５における左端上部）にはレバ
ートリガ５が形成されている。カムスライダ４の図２の右側（図５の左側）にはカムスラ
イダラック６が突設されている。このカムスライダ４にはまた、図４に示すように、その
正面にカム溝４ａが設けられており、そのカム溝４ａに、背後のトラバースホルダ３に設
けられたボス３ａが係合している。
【００１０】
図示しないトラバースシャーシ（図３（ｂ）に一部図示）には、図３（ａ）（および図
４、図５）に示すように駆動モータ７が搭載され、その駆動モータ７の出力軸には、第１
ギア（ピニオンギア）８が接続されている。その第１ギア８には、これもトラバースシャ
ーシに取り付けられる第２ギア９が噛みあっている。その第２ギア９が取り付けられてい
る支軸には、図３に示すように、第２ギア９の下方に第３ギア１０が取り付けられている
。
【００１１】
この第３ギア１０は、図５に示すように、トラバースシャーシに取り付けられる第４ギ
ア１１と噛み合っているとともに、図２および図５に示すように、ディスクトレイのロー
ディング方向に配設されたラック１２とも噛み合っている。
【００１２】
このラック１２はメインラック１２ａとサブラック１２ｂが、その順で厚み方向に重ね
合わされたダブルラックとなっており、下側のメインラック１２ａには、接続部材１３を
介して、光ピックアップユニット１４が取り付けられている。その接続部材１３の装置正
面寄りには、図５に示すように、光ピックアップユニット１４がディスクの記録領域内に
到達したことを検知するセンサ１５のスイッチを押圧するための突起１３ａが設けられて
いる。
【００１３】
上側のサブラック１２ｂは、前記第３ギア１０と、これに噛み合っているメインラック
１２ａとの間のバックラッシュを取り除くためのものであるが、その装置正面側端部に、
先述したトラバースホルダ３のレバートリガ５のカム溝５ａに係合するボスが設けられて
いる。このサブラック１２ｂは、その歯の領域が、下側のメインラック１２ａよりも装置
の後方に伸びているが、このことの意味は後述する。
【００１４】
次に、第４ギア１１が取り付けられている支軸には、図３および図５に示すように、第
４ギア１１の下方に第５ギア１６が取り付けられており、その第５ギア１６に第６ギア（
ギアドライブ）１７が噛み合っている。
【００１５】
さらに、この第６ギア１７には、図２および図５において、平面視、噛み合った形態を
成す第７ギア１８が配設されている。この第７ギア１８は、図３に示すように円柱状のギ
アであり、その円柱の高さ方向の途中、第６ギア１７の板面と交差する位置において、そ
の周方向に部分溝１９が形成されている。
【００１６】
この部分溝１９の幅（図３（ｂ）において符号ｈで示した寸法）は、第６ギア１７の板
厚より大きく、その深さ（図３において符号ｂで示した寸法）は、その溝１９の底部が第
６ギア１７の歯先円とは干渉しないような寸法になっている。この部分溝１９が形成され
た領域には、勿論、歯は無く、いわば、歯の切り欠き部となっている。第７ギア１８は、
平面視、第６ギア１７と噛み合っているように見えるが、平面視、その部分溝１９と第６
ギア１７の歯先円とが噛みあっているような姿勢になっている場合には、両者は実際には
噛み合っていない。この第７ギア１８の周面に設けられた部分溝１９（歯の切り欠き部）
の作用については後述する。
【００１７】
以上のような第１から第７のギアの並びに沿って、図２と図５に示すように、ディスク
のローディング方向を長手方向にしてトレイラック２が配設されており、このトレイラッ
ク２に、図示しないディスクトレイが取り付けられている。
【００１８】
さらに、前記ギアの並びの図２の左手（図５の右手）には、これもディスクトレイのロ
ーディン方向に一組のレール２０が配設されており、このレール２０に光ピックアップユ
ニット１４が取り付けられ、そのレール２０に沿って移動可能となっている。この光ピッ
クアップユニット１４は、先述したように、接続部材１３を介してラック１２に取り付け
られている。図中、その光ピックアップユニット１４に隣接して、スピンドルモータ２１
が位置しており、その出力軸に、図示しないディスクのターンテーブルが取り付けられて
いる。
【００１９】
また、上記ギア群の内、第６ギア１７の支軸１７ａの上端寄りには、図３（ｂ）に示す
ように、その周面に、その周方向に沿って溝１７ｂが設けられており、その溝１７ｂにカ
ットワッシャ１７ｃが嵌めこまれている。このカットワッシャ１７ｃにより、第６ギア１
７が、その支軸１７ａから上方に離脱しないようになっている。次に、以上のような構成
のディスクトレイのローディング機構の動作について、アンローディングの場合を採り挙
げて説明する。
【００２０】
アンローディングの場合は、先ず、図２において、駆動モータ７が時計回りに回転する
。すると、その出力軸に取り付けられた第１ギア（ピニオンギア）８を介して、第２ギア
９が反時計回りに回転し、それに同軸に取り付けられた前記第３ギア１０に噛みあってい
るラック１２が図２の下向き、すなわち、ディスクトレイの出入り口の方へ移動し、この
ラック１２に取り付けられている光ピックアップユニット１４がディスクの半径方向に沿
ってディスクの中心の方へ移動する。
【００２１】
この光ピックアップユニット１４の光軸がディスクの記録領域内に移動して、さらにモ
ータ７が回転すると、前記ラック１２の内、ディスク装置の後方側（図の上側）に歯の領
域が延出されたサブラック１２ｂのみが第３ギア１０と噛み合うようになる。
【００２２】
すると、そのサブラック１２ｂには第３ギア１０を介してモータ７の駆動力が伝わるの
で、さらにディスクトレイの出入り口の方へ移動することになり、そのことにより、サブ
ラック１２ｂに設けられた光ピックアップユニット１４のラックボス１２ｃがレバートリ
ガ５のカム溝５ａに嵌まり込むようになる。従って、光ピックアップユニット１４は、さ
らにディスクの中心に向かって移動することになる。このサブラック１２ｂのディスクト
レイの出入り口の方への移動に伴い、レバートリガ５を介して、カムスライダ４は図２の
左側（図５の右側）へ移動するようになる。
【００２３】
すると、カムスライダ４のカム溝４ａの端部に光ピックアップユニット１４のラックボ
ス１２ｃが係止されるので、メインラック１２ａと第３ギア１０との噛みあいが解除され
、光ピックアップユニット１４の光軸はディスクの記録領域内で停止した状態となる。
【００２４】
一方、サブラック１２ｂの移動に連動して、図２の左向きに移動するレバートリガ５に
あっては、それに設けられた図示しないボスがカムスライダ４のカム溝４ｂに嵌まってい
るので、レバートリガ５の移動に連動してカムスライダ４が若干図４の左側に移動する。
すると、そのカムスライダ４に突設されたカムスライダラック６も図２の左向きに移動す
る。
【００２５】
カムスライダラック６が図２の左向きに移動すると、それに噛みあっている第７ギア１
８が時計回りに回転し、第７ギア１８の周面に設けられている部分溝１９の位置が変化す
る。
【００２６】
ここで、モータ７が回転する前の原点状態では、第６ギア１７と第７ギア１８とは、第
６ギア１７の歯が第７ギア１８の部分溝１９の位置にあって、噛みあってはいなかったが
、今述べたカムスライダラック６の動きをきっかけに、第６ギア１７（ギアドライブ）と
第７ギア１８とが噛み合うようになり、モータ７の駆動力がカムスライダ４にまで伝達さ
れるようになる。
【００２７】
従って、カムスライダ４は一層図２の左側へ移動することになるが、このカムスライダ
４のカム溝４ａには、前記したようにトラバースホルダ３のボス３ａが嵌め込まれている
ので、トラバースホルダ３がそのカム溝４ａに沿って移動して、下降するようになる。す
なわち、そのトラバースホルダ３に搭載されているトラバースユニットが下降するように
なる。
【００２８】
そのトラバースユニットが下降した後も、モータ７がさらに回転すると、カムスライダ
４はさらに図２の左側に移動し、ディスクトレイのカム溝１ａに係合しているカムスライ
ダ４のボス４ｃも図２の左向きに移動する。その際、カム溝１ａは図２のような形で屈曲
しているので、ディスクトレイは若干、図の下側、すなわち、トレイの出入り口側（装置
正面側）に移動するようになる。
【００２９】
その結果、ディスクトレイが取り付けられているトレイラック２もその向きに移動する
ようになり、それが第７ギア１８（ギアトレイ）と噛み合うようになる。トレイラック２
と第７ギア１８が噛み合うと、トレイラック２はますますディスクトレイの出入り口側に
移動する。
【００３０】
すなわち、そのトレイラック２に取り付けられたディスクトレイも出入り口の方に移動
する。以上が、このディスクローディング機構のアンローディング動作であるが、ローデ
ィング動作は、駆動モータの逆回転により、これまで述べた内容と逆向きに進行するだけ
であるので、その説明は省略する。
【発明の開示】
【発明が解決しようとする課題】
【００３１】
以上が、本発明者の下で、従来採用していた光ディスク装置におけるディスクトレイの
ローディング機構の構成とその動作である。本発明は、先述したように、その従来のディ
スクトレイのローディング機構の構成について、その部品の削減を図ることを課題とする
。
【課題を解決するための手段】
【００３２】
上記課題を達成するため、本発明は、上記従来のディスクのローディング機構の構成に
おいて、上記カットワッシャを廃止するとともに、そのカットワッシャが嵌めこまれてい
た上記第６ギアの上面に上記第４ギアの底面との隙間を埋める高さで、平面視、その底面
に被さる領域に外周が存在するようになった半径の突条の帯輪を一体化して形成するとと
もに、その帯輪の上面に対し、水平方向に出没可能となった前記第６ギアの押さえ機構を
ローダーシャーシに一体化して設けた構成としたのである。
【００３３】
このような構成により、カットワッシャを廃止しても、第６ギアの上面に設けた上記突
条の帯輪によって、従来、第４ギアの底面と第６ギアの上面との間にあった大きな隙間が
無くなって第６ギアの浮き上がりが阻止され、かつ、その帯輪の上面に対し、水平方向に
出没可能となった前記第６ギアの押さえ機構を設けているので、そのディスク装置を落下
させてしまったような甚大な取り扱いミスを犯した場合でも、その押さえ機構によって第
６ギアの支軸に沿う移動が完全に阻止され、第６ギアの歯先が第７ギアに設けられた部分
溝と衝突して互いを傷め合ったりするおそれもない。
【発明の効果】
【００３４】
本発明は、上記のように構成して、第６ギアについて、その支軸からの抜け止めの役割
を果たしていたカットワッシャを廃止するようにしたので、先ず、そのカットワッシャに
要する部品代の削減を図ることができる。
【００３５】
また、そのカットワッシャの廃止に伴い、カットワッシャを嵌めていた支軸が、カット
ワッシャを嵌めるための周方向の溝を必要としなくなったので、その形状は単純な丸棒形
状でよく、その製作が容易となり、この点においてもコストの削減を図ることができる。
【００３６】
そして、カットワッシャを嵌める必要がないので、このギア群の組み立て行程の簡略化
を図ることができ、この点においてもコストの削減に繋げることができる。
【００３７】
なお、カットワッシャに代わり得る構成として、新たに設けた第６ギア上面の突条の帯
輪は、第６ギアに一体化して形成したもので、新たな部品ではなく、第６ギア用の金型を
替えるだけで済むので、量産化されれば、コストの増大には至らない。
【００３８】
また、前記押さえ機構もローダーシャーシに一体化して設けているので、これも新たな
部品の追加にはならない。
【発明を実施するための最良の形態】
【００３９】
以下、この発明の実施の形態を、図面を参照して説明するが、本発明は、先述したよう
に、光ディスク装置のディスクトレイのローディング機構において、ディスクトレイをロ
ーディングするためのギア群の一つのギアについて、そのギアの支軸からの離脱を阻止す
るためのカットワッシャを廃止して、その廃止したことによる効果を損なうことなく、そ
れに替わるギアの離脱の阻止のための新たな構成を提唱したものである。従って、その構
成以外の、先述した従来例と共通する構成やその動作については、ここでは重複した図示
や説明はせず、本発明の特徴たる構成の部分の図示とその説明のみを行う。また、図中、
従来例と同じ要素については、同じ符号を付して説明を省略する。図１は、本実施形態の
ディスクトレイのローディング機構の概略構成の一部を示すものであり、背景技術の項で
説明したディスクトレイのローディング機構から、トレイの出し入れに関わるギア群とそ
の一部周辺のみを抜き出したものである。その抜き出した構成を（ａ）に平面図で示し、
（ｂ）に（ａ）の右側面図で示し、（ｃ）に（ａ）の線Ａ−Ａによる矢視図を示したもの
である。なお、底面側から見た構成は、背景技術の項で示した図５の内容と全く同じであ
るので、この構成については、図５を参照されたい。
【００４０】
図１（ａ）に示すように、第６ギア１７（ギアドライブ）の表面には、前記第４ギア１
１の底面との隙間を埋める高さで、平面視、第４ギア１１の底面に被さる領域に外周が存
在するような半径の突条の帯輪３０が一体化して形成されている。
【００４１】
この帯輪３０の高さは、図１（ｂ）に示すように、第４ギア１１の底面と僅かな隙間を
残したものであって、その隙間は、第６ギア１７に相対的に上向きの力が作用しても、そ
の帯輪３０の上面がすぐに第４ギア１１の底面に当接するような程度のものとしている。
従って、この構成により、第６ギア１７の支軸１７ａから上方への離脱は勿論、その上下
方向のがたつきも阻止するようにしている。
【００４２】
次に、図１（ｃ）に示すように、この実施形態では、ローダーシャーシ４０の壁面にス
ナップフィット形状４１を垂下した柱状構造物を弾性部材で形成し、そのスナップフィッ
ト形状４１の下端の水平部４２が前記第６ギア１７の突条の帯輪３０の上面に出没する機
構を設けている。
【００４３】
このスナップフィット形状４１の部分は、装置の組み立てを終わった後、通常は、実線
で示すように、その水平部４２が第６ギア１７の突条の帯輪３０の上面に被さる形でとど
まっているので、先述したように、ディスク装置を落下させてしまったような甚大な取り
扱いミスの場合でも、その水平部４２が第６ギア１７の上方への異動を阻止するので、そ
の第６ギア１７の歯先が第７ギア１８に設けられた部分溝１９と衝突して互いを傷め合っ
たりするおそれもない。すなわちこの水平部４２が第６ギア１７の押さえ部であり、この
スナップフィット形状４１が、本発明における第６ギア１７の押さえ機構に該当する。
【００４４】
以上が、本実施形態の構成と作用であり、カットワッシャ１７ｃを廃止しても、第６ギ
ア１７の上方への移動が阻止できるようになっている。従って、カットワッシャ１７ｃを
廃止することができ、そのことにより、カットワッシャ１７ｃに要する部品代の削減を図
ることができる。
【００４５】
そして、カットワッシャ１７ｃを嵌める必要がないので、このギア群の組み立て行程の
簡略化を図ることができ、この点においてもコストの削減に繋げることができる。
【００４６】
また、そのカットワッシャ１７ｃの廃止に伴い、カットワッシャ１７ｃを嵌めていた支
軸１７ａが、カットワッシャ１７ｃを嵌めるための周方向の溝１７ｂを必要としなくなっ
たので、その形状は単純な丸棒形状でよく、その製作が容易となり、この点においてもコ
ストの削減を図ることができる。
【産業上の利用可能性】
【００４７】
この発明は、上記従来の構成を有した光ディスク装置のディスクトレイのローディング
機構に適用できる。
【図面の簡単な説明】
【００４８】
【図１】は、本実施形態のディスクトレイのローディング機構の概略構成の一部を（ａ）に平面図で示し、（ｂ）に（ａ）の右側面図で示し、（ｃ）に（ａ）の線Ａ−Ａによる矢視図を示したものである。
【図２】は、本発明者が携わった光ディスク装置におけるディスクトレイのローディング機構の一部を平面図で示したものである。
【図３】は、（ａ）に右側面図を示し、（ｂ）に、（ａ）から第６、第７ギア周りの要部を抜き出して示したものである。
【図４】は、同じく正面図である。
【図５】は、同じく底面図である。
【符号の説明】
【００４９】
１１    第４ギア
１６    第５ギア
１７    第６ギア
１７ａ    支軸
１７ｂ    溝
１７ｃ    カットワッシャ
１８    第７ギア
４０    ローダーシャーシ
４１    スナップフィット形状
【図１】
2006351071.tif 000003
【図２】
2006351071.tif 000004
【図３】
2006351071.tif 000005
【図４】
2006351071.tif 000006
【図５】
2006351071.tif 000007